(57)【要約】ブラジャーカップのための調節可能なアンダーワイヤー組み立て品を開示するものである。本発明の調節可能なアンダーワイヤー組み立て品は、全体的にＵ字形のアーチ型の、第１のブラジャーカップの少なくとも一部分に沿って延びる、全体的にＵ字形状の筐体への収納のために必要な大きさにされ、設計された、第１のアンダーワイヤー部材１４と、全体的にＵ字形状のアーチ型の、第１のブラジャーカップに隣接する第２のブラジャーカップの少なくとも一部分に沿って延びる、全体的にＵ字形状の筐体への収納のために必要な大きさにされ、設計された、第２のアンダーワイヤー部材１６とを有している。接続および調節装置２２は、第１の全体的にアーチ型の部材を第２の一全体的にアーチ型の部材に接続しており、その接続装置は着用者によって必要とされるブラジャーカップの調節を容易にするために、第１と第２の全体的にアーチ型の部材間の相対的な角度位置の選択的な変更及び維持のための複数のロック歯等を有している。したがって、カップは快適性のために下方へ回転させたり、谷間の強調のために上方に回転させたりすることが可能になる。【選択図】図１
2007524770.tif 000002
【特許請求の範囲】
【請求項１】
ブラジャーカップにおける調節可能なアンダーワイヤー組み立て品であって、
第１のブラジャーカップの少なくとも一部分に沿って延び、全体的にＵ字型に形成された筐体に挿入されるような寸法に構成された、全体的にＵ字型の第１のアーチ形状のアンダーワイヤー部材と、
前記第１のブラジャーカップに近接した第２のブラジャーカップの少なくとも一部分に沿って延び、全体的にＵ字型に形成された筐体に挿入されるような寸法に構成された、全体的にＵ字型の第２のアーチ形状のアンダーワイヤー部材と、
前記第１のアーチ形状のアンダーワイヤー部材と前記第２のアーチ形状のアンダーワイヤー部材とを接続する接続装置とを有し、
前記接続装置は、前記第１及び第２のアーチ形状の部材間の相対的な角度方向を選択的に変更し、維持するための手段を備え、衣類によって要求される前記ブラジャーカップの調節を手助けすることを特徴とする調節可能なアンダーワイヤーの組み立て品。
【請求項２】
前記接続装置は、
前記第１のアーチ形状のアンダーワイヤー部材に取り付けられた第１の細長い部材と、前記第２のアーチ形状のアンダーワイヤー部材に取り付けられた第２の細長い部材と、前記第１及び第２の細長い素材との角度関係を許容するように前記第１及び第２の細長い部材とを互いに相対的に接続する調節装置とを有し、
前記調節装置は、選択された前記第１及び第２の細長い部材と全体的にＵ字型の前記第１及び第２のアーチ形状のアンダーワイヤー部材との相対的な角度位置を維持するように機能することを特徴とする請求項１に記載の調節可能なアンダーワイヤー組み立て品。
【請求項３】
前記第１の細長い部材は、全体的にＵ字型の前記第１のアーチ形状の部材に取り付けられ、前記第２の細長い部材は、全体的にＵ字型の前記第２のアーチ形状の部材に取り付けられていることを特徴とする請求項２に記載の調節可能なアンダーワイヤーの組み立て品。
【請求項４】
前記調節装置は、半径方向内向きに延びる第１の複数の歯を有する全体的に円状の部材と、前記第１の円状部材内に少なくとも部分的に位置する全体的に円状の部材と備え、前記第２の部材は、前記第１の円状部材の複数の歯と係合する半径方向外向きの複数の歯を有し、前記第１及び第２のアンダーワイヤー部材間の相対的な角度方向を保持することを特徴とする請求項３に記載の調節可能なアンダーワイヤー組み立て品。
【請求項５】
前記第１の部材は、外側リング状部材であり、前記第２の部材は、前記第１のリング状部材に位置する内側リンク状部材であり、前記第１及び第２のリング状部材は、互いに回転可能であることを特徴とする請求項４に記載の調節可能なアンダーワイヤー組み立て品。
【請求項６】
前記外側及び内側リング状部材は、少なくとも一方の部材に回転力を与えることで、相互に相対的に回転可能であり、回転の間において個々の歯が徐々に係合し、そして互いに外れることを特徴とする請求項５に記載の調節可能なアンダーワイヤー組み立て品。
【請求項７】
前記第１の外側リング状部材は、選択された内向きに延びる歯の間であって、かつ前記選択された歯に隣接した予め選択された円周の位置に、前記外側リング状部材の曲げ及び他方に対して前記リング状部材のうちの１つの相対回転を許容する全体的に放射状に延びる逃げ溝を有することを特徴とする請求項６に記載の調節可能なアンダーワイヤー組み立て品。
【請求項８】
前記内向きの延びる歯は、前記外側リング状部材の内周全体に形成され、前記外向きに延びる歯は、前記内側リング状部材の外周全体に形成されていることを特徴とする請求項７に記載の調節可能なアンダーワイヤー組み立て品。
【請求項９】
前記内向きに延びる歯は、前記外側リング状部材の内周の一部に形成されていることを特徴とする請求項７に記載の調節可能なアンダーワイヤー組み立て品。
【請求項１０】
前記外向きに延びる歯は、前記内側リング状部材の対応する部分に形成されていることを特徴とする請求項９に記載の調節可能なアンダーワイヤー組み立て品。
【請求項１１】
前記内向きに延びる歯は、前記外側リングの内周部分の少なくとも２つの位置に形成されていることを特徴とする請求項１０に記載の調節可能なアンダーワイヤー組み立て品。
【請求項１２】
前記内向きに延びる歯は、前記外側リングの内周部分における均等に間隔が空けられた３つの異なる位置に形成されていることを特徴とする請求項１０に記載の調節可能なアンダーワイヤー組み立て品。
【請求項１３】
前記内側及び外側リング全体の中心に横に延び、かつその一端に手動で操作可能なプッシュボタンと他端にロック装置とを有するピンをさらに備え、
前記ロック装置は、前記外側リングに対し予め選択された角度方向で前記内側リングをロックするために、前記内側リングの外向きに延びる所定の歯と係合するように適用され、前記ロックピンは、ロックされた位置に偏ったバネであり、前記プッシュボタンの手動操作によって、前記内側及び外側リング状部材の相対的な回転を許容するために係合位置から歯が外れる第２の位置に移動可能であることを特徴とする請求項１１に記載の調節可能なアンダーワイヤー組み立て品。
【請求項１４】
前記内側及び外側リング状部材の間の所定の相対的な角度方向を維持するための手段をさらに含むことを特徴とする請求項８に記載の調節可能なアンダーワイヤー組み立て品。
【請求項１５】
前記内側及び外側リング状部材の間の所定の相対的な角度方向を維持するための前記手段は、前記リング状部材の１つに固定して取り付けられ、前記外側及び内側リング間の相対的な角度提示を維持するために選択された位置で前記外側リングとの係合を解放可能に位置する、少なくとも１つの細長い部材を含むことを特徴とする請求項１４に記載の調節可能なアンダーワイヤー組み立て品。
【請求項１６】
前記細長い部材は、前記内側リングに取り付けられ、前記外側リングの複数のくぼみの１つと解放可能に係合するように適用されることを特徴とする請求項１５に記載の調節可能なアンダーワイヤー組み立て品。
【請求項１７】
少なくとも２つの前記細長い部材が、前記内側リングに取り付けられ、前記外側リングの複数のくぼみの１つと解放可能に係合するように適用されることを特徴とする請求項１６に記載の調節可能なアンダーワイヤー組み立て品。
【請求項１８】
前記接続装置は、共通軸について相対的な回転のために接続された少なくとも２つの全体的に円状に形成された部材を含んでおり、前記部材の第１は、１つの円筒面から延びる複数の歯を有し、前記部材の第２は、前記第１の部材の複数の歯と向かい合って対となり、対応する面と向かい合った円筒面から延びる複数の歯を有しており、さらに前記接続装置は、前記部材の相対的な回転と前記アンダーワイヤーの対応する調節を手助けするために、前記向き合っている歯を解放可能に分離するために設けられた手段を有することを特徴とする請求項３に記載の調節可能なアンダーワイヤー組み立て品。
【請求項１９】
前記アンダーワイヤーの調節を許容する前記手段は、前記円筒の対をなすくぼみの面を分離して、互いの相対的な係合から対の歯を解放し、他方に対して前記部材の１つの回転を許容する手段を含むことを特徴とする請求項１８に記載の調節可能なアンダーワイヤー組み立て品。
【請求項２０】
前記第１及び第２の円状に形成された部材間の相対的な角度方向の維持を支援するためにロック手段が設けられ、前記ロック手段は、全体的に円状の一方の部材から他方の部材に向かって延びる少なくとも１つの細長い部材と、全体的に円状の部材の前記他方に位置する対応する複数の開口とを有し、前記複数の開口は、前記第１及び第２の全体的に円状の部材と前記アーチ形状の部材との間の相対的な角度位置関係を維持するために支援する少なくとも１つの前記細長い部材の収容のために配置されることを特徴とする請求項４に記載の調節可能なアンダーワイヤー組み立て品。
【請求項２１】
全体的に円状に形成された他方の前記部材の複数の前記開口部の少なくとも２つに対して収容及び取り外し可能な少なくとも２つの前記細長い部材が設けられていることを特徴とする請求項２０に記載の調節可能なアンダーワイヤー組み立て品。
【請求項２２】
前記接続及び調節装置は、第１の全体的に円状の部材と前記第１の全体的に円状の部材に隣接して位置する第２の全体的に円状の部材とを有し、これらの前記部材は、共通軸について回転可能であり、かつ前記２つの部材間の所定の相対的な角度方向を維持する手段を有することを特徴とする請求項３に記載の調節可能なアンダーワイヤー組み立て品。
【請求項２３】
前記２つの部材間の所定の相対的な角度方向を維持する手段は、一方の前記部材から延びる少なくとも１つの細長い部材と、他方の前記部材の対応する複数の開口部とを有し、
前記細長い部材は、前記部材間の所定の相対的な角度方向を保持するために、前記開口の少なくとも１つの中に取り外し可能に挿入されるように適用されることを特徴とする請求項２２に記載の調節可能なアンダーワイヤー組み立て品。
【請求項２４】
少なくとも２つの前記細長い部材が、前記全体的に円状の一方の前記部材に設けられるとともに、前記細長い部材は、少なくとも２つの前記対応する開口部と他方の前記部材から、選択的に収容及び取り外し可能に位置していることを特徴とする請求項２３に記載の調節可能なアンダーワイヤー組み立て品。
【請求項２５】
前記部材を分離し、前記他方の部材の前記対応して配列された開口部から前記細長い部材を取り外すための手段をさらに有することを特徴とする請求項２４に記載の調節可能なアンダーワイヤー組み立て品。
【請求項２６】
前記各細長い部材は、各々が、細長いピンよりなることを特徴とする請求項２５に記載の調節可能なアンダーワイヤー組み立て品。
【請求項２７】
ブラジャーカップのための調節可能なアンダーワイヤー組み立て品であって、
第１のブラジャーカップの少なくとも一部分に沿って延び、全体的にＵ字型に形成された筐体に挿入されるような寸法に構成された、全体的にＵ字型の第１のアーチ形状のアンダーワイヤー部材と、
前記第１のブラジャーカップに近接した第２のブラジャーカップの少なくとも一部分に沿って延び、全体的にＵ字型に形成された筐体に挿入されるような寸法に構成された、全体的にＵ字型の第２のアーチ形状のアンダーワイヤー部材と、
前記第１の全体的にアーチ形状の部材を前記第２の全体的にアーチ形状の部材に接続する装置とを有し、
前記接続する装置は、互いの相対的な回転のために組み立てられた第１及び第２の部材を含み、該部材の一方が、他方の部材の対応する反対側の面の方に向かって延びる複数の歯を有する面を含み、前記他方の部材の対応する面は、前記第１の複数の歯の方に向かって延びる複数の歯を有し、前記第１及び第２の部材間の所定の相対的な角度方向を選択的に維持するために、互いの係合が取り外し可能に構成されていることを特徴とする調節可能なアンダーワイヤーの組み立て品。
【請求項２８】
前記第１及び第２の部材間の所定の相対的な角度方向の維持を支援する手段を更に有することを特徴とする請求項２８に記載の調節可能なアンダーワイヤー組み立て品。
【請求項３０】
前記第１及び第２の部材間の所定の相対的な角度方向の維持を支援する手段は、前記部材の一方に複数の開口部を含み、他方の前記部材の第２から延び、前記開口部の１つに取り外し可能に入る少なくとも１つの細長いピンを含むことを特徴とする請求項２９に記載の調節可能なアンダーワイヤー組み立て品。
【請求項３１】
少なくとも２つの前記細長いピンが、前記他方の部材に設けられていることを特徴とする請求項３０に記載の調節可能なアンダーワイヤー組み立て品。
【請求項３２】
ブラジャーカップのための調節可能なアンダーワイヤー組み立て品であって、
第１のブラジャーカップの少なくとも一部分に沿って延び、全体的にＵ字型に形成された筐体に挿入されるような寸法に構成された、全体的にＵ字型の第１のアーチ形状のアンダーワイヤー部材と、
前記第１のブラジャーカップに近接した第２のブラジャーカップの少なくとも一部分に沿って延び、全体的にＵ字型に形成された筐体に挿入されるような寸法に構成された、全体的にＵ字型の第２のアーチ形状のアンダーワイヤー部材と、
前記全体的にアーチ形状の第１の部材を前記全体的にアーチ形状の第２の部材に接続する装置とを有し、
前記接続する装置は、互いに共通軸について相対的に回転可能な第１及び第２の部材と、選択的に回転可能であって、他方に対する選択的な変更に伴って前記部材の１つを保持し、前記全体的にアーチ形状の第１及び第２の部材間の相対的な角度方向を維持して、装着者によって選択されたブラジャーカップの調節を手助けする、前記第１及び第２の部材の各々に付随した手段とを有することを特徴とする調節可能なブラジャーカップ組み立て品。
【請求項３３】
ブラジャーのための１対のＵ字型に形成されたアーチ形状のアンダーワイヤー部材を接続し、前記１対のアーチ形状の部材の相対的な回転を手助けし、ブラジャーの装着者が選択する所定の位置についての相対的な角度方向の選択的な調節を許容する調節装置であって、
第１の全体的に円状の部材と、
前記第１の全体的に円状の部材に組み立てられる第２の全体的に円状の部材とを有し、これら第１及び第２の全体的に円状の部材は、共通軸について互いに相対的な回転可能に適用されるとともに、
さらに、予め決められた回転において前記第１及び第２の部材の相対的な角度位置を選択的に保持するために、前記第２の部材に設けられた複数の歯に対応し一致する方向に面する全体的に尖った複数の歯状であって、前記第１の部材に関連した手段を有することを特徴とする調節装置。
【請求項３４】
前記第２の部材に対する前記第１の部材の所定の相対的な角度関係の維持を支援する手段をさらに備えることを特徴とする請求項３３に記載の調節可能なアンダーワイヤー組み立て品。
【請求項３５】
前記部材の係合を解除し、他方に対する前記部材の少なくとも１つの相対回転を手助けする手段をさらに有することを特徴とする請求項３４に記載の調節可能なアンダーワイヤー組み立て品。
【請求項３６】
前記接続する装置は、共通軸について相対回転のために適用される外側リング状部材及び内側リング状部材と、前記部材の相対的な角度位置を保持するための手段とを有し、
前記接続する装置は、前記部材の一方に複数の開口部を含み、前記部材の他方に取り付けられる少なくとも２つの細長いピンを含み、選択された開口部への挿入を取り外し可能で、かつ前記部材の相対的な回転位置を保持するように適用される位置することを特徴とする請求項１に記載の調節可能なアンダーワイヤー組み立て品。
【請求項３７】
胸部支持体を含む衣類のための調節装置であって、
第１の胸部支持体の第１アンダーワイヤーに接続するように適用される第１の部材と、第２の胸部支持体の第２アンダーワイヤーに接続するように適用される第２の部材とを有し、前記第１及び第２のアンダーワイヤーが、相対的な角度位置の選択的な変更をできるように回転可能に接続されるとともに、
前記第１及び第２部材を予め選択された相対的な角度位置に維持し、互に対応する予め選択された角度位置で前記第１及び第２アンダーワイヤーを維持する手段を有することを特徴とする調節装置。
【発明の詳細な説明】
【技術分野】
【０００１】
本発明は、特にブラジャーなどの衣類をサポートするのに使用されるアンダーワイヤーに関する。より詳しくは、ユーザに快適性を与えつつ、ブラジャーのフィット感の調節を向上させて、ユーザのサイズや活動における軽微な変化に対応するための調節可能なアンダーワイヤー組み立て品及びこのような調節可能なアンダーワイヤー組み立て品が内蔵するブラジャーに関する。
【背景技術】
【０００２】
ブラジャーは、ほとんどの女性にとって欠かせない衣類である。ブラジャーの目的は、特に胸の大きな女性において不快感を生じやすい胸の過剰な動きをコントロールすることにある。このようなブラジャー等による適切な保護がないと、胸は軟組織と靭帯の伸縮を受けることになり、不快感に繋がるとともに最終的には、胸のたるみが通常より早くなるだろう。従って、ブラジャーは、適切に着用者に合うだけでなく、着用者のサイズや活動における変化に対応する柔軟性を提供しつつ、快適に着用されるものでなければならない。
【０００３】
胸の大きな女性は、一般に、ブラジャーのそれぞれのカップの下方に沿って延びたスリーブ内に収納されているアンダーワイヤーによって提供される追加的なサポートを必要とする。アンダーワイヤーは、一般に、繊維ポケット内、又はブラジャーの中央部分からカップの下側及び外側の部分を通って着用者の腕下の側面となる位置まで延びるスリーブ内に収納されている通常アーチ型のＵ字状を有する半剛性及び弾性のある補強部材からなる。弾性のあるアンダーワイヤーは、鉄のような金属で作られ、通常、長方形、長円形やその他の断面形状を有しており、又は様々な断面形状の高分子材料から作られている。そして、これらのアンダーワイヤーは、不快な締め付けを避けるため及びブラジャーの繊維との摩擦を最小限にするために、プラスチック製のコンフォートチップとともに提供される。また、当該アンダーワイヤーを高分子材料によって覆われた金属で製作してもよい。
【０００４】
本出願人に係る特許文献１（米国特許出願１０／２４５４７０号、２００２年９月１６日出願）は、柔軟性の異なる領域を備えた衣類用アンダーワイヤーに関する技術を提案している。また、このようなアンダーワイヤーの不快感を軽減しようとする他の試みとしては、特許文献２（米国特許第５８３００４０）、特許文献３（米国特許第３７７７７６３）、特許文献４（米国特許第３６０８５５６）がある。
【特許文献１】米国特許出願第１０／２４５４７０号
【特許文献２】米国特許第５８３００４０号
【特許文献３】米国特許第３７７７７６３号
【特許文献４】米国特許第３６０８５５６号
【発明の開示】
【発明が解決しようとする課題】
【０００５】
それぞれのアンダーワイヤーは、隣接する２つのカップの個々のスリーブやポケットに個別に収容させるため、独立したユニットとして作られ、当該アンダーワイヤーは、スリーブの位置及びそれらの相対的な半剛性に基づいて想定される場所に固定される。それらの限定された剛性は、着用者の個々の適合に合わせるための、形状や方向の調節を阻害する。
【０００６】
胸のサイズや形状は、生体の化学反応と同様に女性の体重が変化するにつれて時と共に変化することが一般に理解されているので、一組のアンダーワイヤーが取り付けられた特定のブラジャーは、特定の期間、着用者に適応し、そして該ブラジャーは、胸のサイズ又は／及び形状が変化した場合には、その変化した後の期間は適合しなくなる。例えば、月経周期の間の女性の胸は、他の期間の間の大きさや形と比較して異なる大きさや形であることが想定される。妊娠もまた胸の大きさに影響を与えるだろう。加えて、着用者の頻繁な活動の変化は、異なったタイプのブラジャーによる補助を必要とする。例えば、労働中に快適に着用されるブラジャーは、同じ着用者がイブニングドレスを着る際に必要とされるブラジャーやテニス、ゴルフ、水泳、バレエ、体操のような他の活動をするときに必要なブラジャーとは異なると思われる。
【０００７】
このように、ひとつのブラジャーは、比較的多数の活動に適応しないこと、すなわちある特定の活動には適していても他の活動には適していないことが容易に理解できる。そこで、本発明は、使用期間の間にサイズ、形、および着用者の活動の変化において、必要に応じた快適性を提供可能なブラジャーとともに使用される調節可能なアンダーワイヤー組み立て品を提供することをその目的とする。  
【課題を解決するための手段】
【０００８】
本発明のブラジャーカップのための調節可能なアンダーワイヤー組み立て品は、ブラジャーカップにおける調節可能なアンダーワイヤー組み立て品であって、第１のブラジャーカップの少なくとも一部分に沿って延び、全体的にＵ字型に形成された筐体に挿入されるような寸法に構成された、全体的にＵ字型の第１のアーチ形状のアンダーワイヤー部材と、前記第１のブラジャーカップに近接した第２のブラジャーカップの少なくとも一部分に沿って延び、全体的にＵ字型に形成された筐体に挿入されるような寸法に構成された、全体的にＵ字型の第２のアーチ形状のアンダーワイヤー部材と、前記第１のアーチ形状のアンダーワイヤー部材と前記第２のアーチ形状のアンダーワイヤー部材とを接続する接続装置とを有し、前記接続装置は、前記第１及び第２のアーチ形状の部材間の相対的な角度方向を選択的に変更し、維持するための手段を備え、衣類によって要求される前記ブラジャーカップの調節を手助けすることを特徴とする。
【０００９】
また上記接続装置は、前記第１のアーチ形状のアンダーワイヤー部材に取り付けられた第１の細長い部材と、前記第２のアーチ形状のアンダーワイヤー部材に取り付けられた第２の細長い部材と、前記第１及び第２の細長い素材との角度関係を許容するように前記第１及び第２の細長い部材とを互いに相対的に接続する調節装置とを有し、当該調節装置は、選択された前記第１及び第２の細長い部材と全体的にＵ字型の前記第１及び第２のアーチ形状のアンダーワイヤー部材との相対的な角度位置を維持するように機能するように構成することが好ましい。
【００１０】
また上記第１の細長い部材は、全体的にＵ字型の前記第１のアーチ形状の部材に取り付けられ、前記第２の細長い部材は、全体的にＵ字型の前記第２のアーチ形状の部材に取り付けられていることが好ましい。
【００１１】
また上記調節装置は、半径方向内向きに延びる複数の歯を有する第１の円状部材と、前記第１の円状部材内に少なくとも部分的に位置する円状部材と備え、前記第２の部材は、前記第１の円状部材の複数の歯と係合する半径方向外向きの複数の歯を有し、前記第１及び第２のアンダーワイヤー部材間の相対的な角度方向を保持するように構成することが好ましい。また好ましくは、前記第１の部材は、外側リング状部材であり、前記第２の部材は、前記第１のリング状部材に位置する内側リンク状部材であり、前記第１及び第２のリング状部材は、互いに回転可能であること、そして、前記外側及び内側リング状部材は、少なくとも一方の部材に回転力を与えることで、相互に相対的に回転可能であり、回転の間において個々の歯が徐々に係合し、そして互いに外れることが好ましい。
【００１２】
また、好ましくは、前記第１の外側リング状部材は、選択された内向きに延びる歯の間であって、かつ前記選択された歯に隣接した予め選択された円周の位置に、前記外側リング状部材の曲げ及び他方に対して前記リング状部材のうちの１つの相対回転を許容する全体的に放射状に延びる逃げ溝を有し、そして、前記内向きの延びる歯は、前記外側リング状部材の内周全体に形成され、前記外向きに延びる歯は、前記内側リング状部材の外周全体に形成されていることが好ましい。
【００１３】
なお、他の実施形態としては、前記内向きに延びる歯は、前記外側リング状部材の内周の一部に形成されていてもよく、また、その他の実施形態としては、前記外向きに延びる歯が、前記内側リング状部材の対応する部分に形成されており、前記内向きに延びる歯が、前記外側リングの内周部分の少なくとも２つの位置に形成されていてもよい。また、さらに他の実施形態としては、前記内向きに延びる歯が、前記外側リングの内周部分における均等に間隔が空けられた３つの異なる位置に形成されていてもよい。
【００１４】
また、１つの実施形態として、前記内側及び外側リング全体の中心に横に延び、かつその一端に手動で操作可能なプッシュボタンと他端にロック装置とを有するピンをさらに備え、前記ロック装置が、前記外側リングに対し予め選択された角度方向で前記内側リングをロックするために、前記内側リングの外向きに延びる所定の歯と係合するように適用され、前記ロックピンは、ロックされた位置に偏ったバネであり、前記プッシュボタンの手動操作によって、前記内側及び外側リング状部材の相対的な回転を許容するために係合位置から歯が外れる第２の位置に移動可能であるように構成してもよい。
【００１５】
また、他の実施形態として、前記内側及び外側リング状部材の間の所定の相対的な角度方向を維持するための手段をさらに含み、該手段が、前記リング状部材の１つに固定して取り付けられ、前記外側及び内側リング間の相対的な角度提示を維持するために選択された位置で前記外側リングとの係合を解放可能に位置する、少なくとも１つの細長い部材を含むように構成してもよい。また、前記細長い部材は、前記内側リングに取り付けられ、前記外側リングの複数のくぼみの１つと解放可能に係合するように適用されるように構成してもよく、好ましい他の実施形態としては、少なくとも２つの前記細長い部材が、前記内側リングに取り付けられ、前記外側リングの複数のくぼみの１つと解放可能に係合するように適用されるように構成する。
【００１６】
また、他の実施形態としては、前記接続装置は、共通軸について相対的な回転のために接続された少なくとも２つの全体的に円状に形成された部材を含んでおり、前記部材の第１は、１つの円筒面から延びる複数の歯を有し、前記部材の第２は、前記第１の部材の複数の歯と向かい合って対となり、対応する面と向かい合った円筒面から延びる複数の歯を有しており、さらに前記接続装置は、前記部材の相対的な回転と前記アンダーワイヤーの対応する調節を手助けするために、前記向き合っている歯を解放可能に分離するために設けられた手段を有するように構成してもよい。また他の形態として、前記アンダーワイヤーの調節を許容する前記手段が、前記円筒の対をなすくぼみの面を分離して、互いの相対的な係合から対の歯を解放し、他に対して前記部材の１つの回転を許容する手段を含むように構成してもよい。
【００１７】
また、前記第１及び第２の円状に形成された部材間の相対的な角度方向の維持を支援するためにロッキ手段が設けられ、前記ロック手段が、全体的に円状の一方の部材から他方の部材に向かって延びる少なくとも１つの細長い部材と、全体的に円状の部材の前記他方に位置する対応する複数の開口とを有し、前記複数の開口が、前記第１及び第２の全体的に円状の部材と前記アーチ形状の部材との間の相対的な角度位置関係を維持するために支援する少なくとも１つの前記細長い部材の収容のために配置されるように構成してもよい。
【００１８】
また、全体的に円状に形成された他方の前記部材の複数の前記開口部の少なくとも２つに対して収容及び取り外し可能な少なくとも２つの前記細長い部材を設けてもよい。また、前記接続及び調節装置が、第１の全体的に円状の部材と前記第１の全体的に円状の部材に隣接して位置する第２の全体的に円状の部材とを有し、これらの前記部材は、共通軸について回転可能であり、かつ前記２つの部材間の所定の相対的な角度方向を維持する手段を有するように構成したり、該２つの部材間の所定の相対的な角度方向を維持する手段が、一方の前記部材から延びる少なくとも１つの細長い部材と、他方の前記部材の対応する複数の開口部とを有し、前記細長い部材が、前記部材間の所定の相対的な角度方向を保持するために、前記開口の少なくとも１つの中に取り外し可能に挿入されるように適用されるように構成してもよい。
【００１９】
また、少なくとも２つの前記細長い部材が、前記全体的に円状の一方の前記部材に設けられるとともに、少なくとも２つの前記対応する開口部と他方の前記部材から、選択的に収容及び取り外し可能に位置するように構成してもよい。また、前記部材を分離し、前記他方の部材の前記対応して配列された開口部から前記細長い部材を取り外すための手段をさらに有するように構成してもよい。好ましくは、前記各細長い部材は、各々が、細長いピンで構成する。
【００２０】
また、本発明の、ブラジャーのための１対のＵ字型に形成されたアーチ形状のアンダーワイヤー部材を接続し、前記１対のアーチ形状の部材の相対的な回転を手助けし、ブラジャーの装着者が選択する所定の位置についての相対的な角度方向の選択的な調節を許容する調節装置は、第１の全体的に円状の部材と、前記第１の全体的に円状の部材に組み立てられる第２の全体的に円状の部材とを有し、これら第１及び第２の全体的に円状の部材は、共通軸について互いに相対的な回転可能に適用されるとともに、予め決められた回転において前記第１及び第２の部材の相対的な角度位置を選択的に保持するために、前記第２の部材に設けられた複数の歯に対応し一致する方向に面する全体的に尖った複数の歯状であって、前記第１の部材に関連した手段を有することを特徴とする。
【００２１】
また、概して述べると、胸部支持体を含む調節装置が、第１の胸部支持体の第１アンダーワイヤーに接続するように適用される第１の部材と、第２の胸部支持体の第２アンダーワイヤーに接続するように適用される第２の部材とを有し、前記第１及び第２のアンダーワイヤーが、相対的な角度位置の選択的な変更をできるように回転可能に接続されるとともに、前記第１及び第２部材を予め選択された相対的な角度位置に維持し、互に対応する予め選択された角度位置で前記第１及び第２アンダーワイヤーを維持する手段を有することを特徴とする
【発明を実施するための最良の形態】
【００２２】
まず図１は、調節可能なアンダーワイヤー組み立て品１２を備えるブラジャー１０を女性が着用した状態を示す部分的な正面図であり、より具体的には図２から図４に示している。特に、調節可能なアンダーワイヤー組み立て品１２は、自由端にプラスチックのコンフォートチップ１８、２０を有し、半剛性であって弾性を有するアーチ型のアンダーワイヤー１４、１６を含む。アンダーワイヤー１４、１６は、ブラジャーカップの下方端部に沿って延び、各々のアンダーワイヤー１４、１６に対応するように形成されたアーチ型のポケットに収納され、アンダーワイヤー１４、１６の各々は、最もよく図示できる構造と機能を図４に示すような調節装置２２によって接続されている。
【００２３】
図４において、接続調節装置２２は、ナイロン、高密度のポリエチレン、低密度のポリエチレン、ポリビニルクロライド（ＰＶＣ）、単量体、若しくは共重合体からなるポリマー原料によって作られた複数の部品によって構成されている。なお、これら以外にも金属やそれに近い物質のような他の適した原料を用いて作られていてもよい。
【００２４】
図４に示すように、接続調節装置２２は、通常、内壁から突出した複数の半径方向内部へ延びた歯２６を有する全体的に円形状の外側リング２４と、突出し、かつ半径方向外部へ延びた複数のかみ合い歯３２を有する軸方向に延びたセクション３０を備える内側リング２８とを有する。内側リング２８と外側リング２４の各々は、成形技術あるいは他の既知の接合方法によりアンダーワイヤー１４、１６と接合するために全体的に細長い部材（アーム）３４、３６を有する。ロックピン３８は、リングが組み立てられ、図５に示すように中央の開口部５２にロックピン３８が挿入されたとき、内側リング２８によって形成される円形の形状をした表面５０とかみ合うロック脚部４６、４８を有する、一組の脚部４２、４４を備える円盤形状の部品４０を有する。図４に示すように、外側リング２４は、図５および図６に示すようなこれらのリングの組み立ての際に、歯車のかみ合いの柔軟性を提供し、かつ歯２６、３２のかみ合いに対応するために伸縮可能とする、半径方向に延びた逃げ開口５４を有している。
【００２５】
望む位置（方向）にアンダーワイヤーの相対的な角度を調節する際、アンダーワイヤーの望まれる位置になるまで、歯２６、３２の各々のかみ合わせを、互いにかみ合ったり、重ねたりすることで、各アンダーワイヤー１４、１６若しくは細長い部材３４、３６を握って回転させることで、望むアンダーワイヤーの位置に、回転させることができる。そのようなポイントにおいて各歯２６、３２は、選択された角度位置内の前回選択されたかみ合わせた位置に留まるだろう。それゆえ、選択された位置にアンダーワイヤーを維持する円周方向の抵抗力は、かみ合った内側に延びた歯２６と外側に延びたかみ合わせ歯３２との合計としてもたらされるであろう。
【００２６】
また、図７には、外側リング２４の別の実施形態が図示されている。この実施形態においては、半径方向内部に延びた歯は、外側リング２４全体の内周に延びているというよりは、３つの間隔を空けた位置２６に位置している。この実施形態においては、間隔が空いた歯の部分２６は、内側リング２８の歯３２とのかみ合いやアンダーワイヤーの望まれた角度位置の保持に対して十分であると考えられる。しかしながら、本実施形態では、歯２６の数が限られているので、歯の係合がずれる可能性は、低減されている。それゆえ、図７に示す外側リング２４では、図４に示した放射状の逃げ開口５４が省略されている。
【００２７】
次に、図８から図１１は、外側に延びた歯６４、６６を有する二つの離れた外壁部６０、６２と、外側リング７０を通って延びるピン６８によって提供されるロック機構とを備える内側リング５８を備える接続調節装置の、本発明の別の実施形態を示している。ピン６８は、一端部に押しボタン７０及び、押しボタン７０と外側リング７０との間のバイアスバネ７４を有している。
【００２８】
また、アーチ型にされた部材７６は、ボタン７２が解放され、ピン６８とアーチ型ロック部材７６とが、歯６４、６６とのロックかみ合わせにおいて上方への動きが許容され、内側リング５８及び、外側リング７０の選択された相対的な角度位置を維持することを補助する際に、外側リングにあるロック歯６４、６６と選択的にかみ合うためのロック歯７８、８０が取り付けられている当該ピン６８の反対側の端部に設けられている。
【００２９】
細長い部材（アーム）３４、３６と各々アンダーワイヤー１４、１６の回転は、ロック歯７８、８０とロック歯６４、６６とのかみ合わせをはずすためにボタン７２を下方へ押すことにより生じる。両方のアンダーワイヤーが望まれる角度位置となった際に、押しボタン７２が外され、ロック歯７８、８０とロック歯６４、６６とは、適所にその装置とアンダーワイヤーとをロックするためにかみ合わせられる。図１０に示すように、組み立て品全体が、リング５８の一部として形成された表面９４と係合するために楔形に形成されたロックチップ９０、９２を有するロック脚８６、８８を備える円盤状の部材８４によって形成されるロック部材８２によって、一緒に固定される。
【００３０】
次に、図１２から図１４は、上記実施形態の接続調節装置のもう一つの他の実施形態を示すものであり、上述したように、接続調節装置１００は、半径方向内部に延びたロック歯１０４を有する外側リング１０２と、外側リング１０２のロック歯１０４とかみ合うように構成され、そして必要な大きさにされた、半径方向外部に延びたロック歯１１０を有する軸方向に延びた部分１０８を有する内側リング１０６とを含む。図１２から図１４の実施形態の他の構成は、図４から図７の実施形態と同様であるが、当該図１２から図１４に係る接続調節装置１００は、内側リング１０６における開口部１１４、１１６を介して延び、外側リング１０２の前面部にあるくぼみ１１８との選択的な結合のためのロックピン１１２を有するロックディスク１１０が付加的な特徴となっている。ピン１２０は、一端に押しボタン１２０を含み、図１４に示すように楔形のロック脚部１２６、１２８を備えているロック装置１２４が、図１４に示すような全体の組み立て品を保持しながら、ディスク１１０にねじで付けられる。
【００３１】
動作において、押しボタン１２２をバネ１２１に対抗して押し下げられると、ピン１１２は、くぼみ（開口）１１８から引き抜かれ、内側リング１０６と外側リング１０３とがアンダーワイヤー１４、１６の相対的な位置を調節するために、互いの相対的な回転を許容する。その後、押しボタン１２２を外すことで、ピン１２２が近接したくぼみ（開口）１１８に挿入し、リングとアンダーワイヤーに対する付加的な回転ロックをサポートを提供しつつ、バネ１２１が、外側リングに向かう軸方向へのディスク１１０とピン１１２の先端との移動を生じさせることを許容する。
【００３２】
次に、図１５から図１７は、本発明の接続調節装置のさらに他のもう一つの実施形態を示すものであり、当該接続調節装置１３３は、上記実施形態の内側および外側の歯を有するリングに対して、同図に示すように、対向する表面から直立した全体的に三角形状の歯１３４〜１３６を有するディスク状の部材１３０、１３２を適用したものである。組み立て品は、ねじでエンドディスク１４２に取り付けられ、コイルバネ１４４によって組み立て品から軸方向から離れて偏っているねじ軸１４６に取り付けられるディスク型の押しボタン１４０を有する締め具１３８とともに具現される。
【００３３】
動作において、ディスク状の押しボタン１４０が押し下げられると、歯面１３０と歯面１３２との係合が解放され、細長いアーム３４、３６と各アンダーワイヤー１４、１６の位置の調節が許容（可能）される。そして、押しボタン１４０は、アンダーワイヤーの位置を望まれたところにロックするために外される。
【００３４】
上述の各実施形態において、かみ合わせ歯は、等しく必要な大きさに形成された直立面を有しているか、若しくは一般に二等辺三角形の断面構成を有しているが、これらの実施形態は、係合する歯のかみ合わせのための他の構成を適用することで、変更可能であり、例えば、直立面を有するかみ合い歯、若しくは部材が直角三角形状の構成を有するように形成することも可能である。特に、図１２から図１７の実施形態において、歯をはずすことがこれらの実施形態において示した押しボタン解除メカニズムを通してしか遂行することができないが、このような直角三角形状のかみ合せ部材を一緒に備えていれば、細長いアーム３４、３６と各アンダーワイヤー１４、１６の相対的な角度位置は、確実に所定の一方向にロックすることが可能となる。なお、直角三角形状の構成とすることとは、アンダーワイヤーの位置の調節がなされる際に、かみ合う歯の各々の斜辺が互いの上を通過する間、三角形の角度のうちの１つが９０度であることを意味している。
【００３５】
次に、図１８は、図１３の接続調節装置の他のもう一つの実施形態を示しており、ラチェット歯はなく、外側のリング１５２と内側のリング１５４の相対的な角度位置の調節が、図１２〜図１４の実施形態に関連して表された同じ方法においてはずすことが可能なようにくぼみ（または開口）１６０に挿入される、必要な大きさに形成された軸方向に延びたピン１５６、１５８によってのみ遂行される接続調節装置１５０を示している。ピン１６２は、ディスク１６９の方へディスク１６８を偏らせ、そして、それによってまた、バネ１６４によりピン１５６、１５８は、開口１６０に入れられる。ピン１６２は、ディスク１６８のネジ付き開口１６６に通される。楔形状のロック脚１７０、１７２は、図１２〜図１４に示す脚１２６、１２８ともまた同様であり、図１４に示した方法で組み立て品全体を一緒に保持するのに役立つ。
【００３６】
以上、複数の係合する歯のかみ合いを上記実施形態で説明したが、係合する表面同士によって、部材をロックする可能である。例えば、係合する表面の各々を、互いを係合するための粗い面として提供することも可能であり、また、ギザキザの表面であっても部材間の相対的な回転を防ぐことが可能である。    
【図面の簡単な説明】
【００３７】
【図１】本発明の調節可能なアンダーワイヤー組み立て品が組み込まれたブラジャーの部分的な正面図を示すものであり、着用者は適用された状況を表している。
【図２】調節可能なアンダーワイヤー組み立て品の正面図であり、アンダーワイヤーの一つが一方の開く位置に回転する調節可能な機能を図示している（仮想線）。
【図３】図２の調節可能なアンダーワイヤーアセンブリの正面図であり、谷間を強調するために両方の胸を近い位置へ持ち上げる位置へ調節された状態を示している。
【図４】接続装置に取り付けられているアンダーワイヤー間の相対的な角度方向を選択的に変え、そして維持することを目的とする接続調節装置の、図の趣旨のために分解された部品の拡大斜視図である。
【図５】本発明に係る接続および調節装置の図１の断面ライン５−５に沿った断面図であり、図の趣旨のためだけにアンダーワイヤーを上方へ回転させた状態を示している。
【図６】図５の断面ライン６−６に沿った部分断面図である。
【図７】図５および図６の接続調節装置の別の実施形態の平面図であり、リングの内周全体ではなく、選択され、かつ間隔の空いた３つのエリアに調節歯を含む外側リングを示す図である。
【図８】本発明に係る接続・調節装置の別の実施形態の上方からの斜視図であり、アンダーワイヤー間の角度方向の調節を可能にするために歯の係合および係合を解くためのバネ式のリリースボタンとピンを備えた図である。
【図９】アンダーワイヤーが選択された相対的位置に固定されている図８の断面ライン９−９に沿った部分的断面図である。
【図１０】図９の断面ライン１０−１０に沿った断面図である。
【図１１】図１０の接続・調節装置の正面図であり、接続装置がリリース位置にあり、アンダーワイヤーの一つがリリースされて別の選択された位置へ回転することを示している。
【図１２】本発明に係る接続調節装置の、もう一つの別の実施形態の上方からの斜視図である。
【図１３】図１２の実施形態の図の趣旨のために分解された部品の拡大図であり、アンダーワイヤーの選択された相対的な角度方向の固定を補助するために外側のリングの凹部を選択的に係合する一組のピンを備えることを図示している。
【図１４】図１２の断面ライン１４−１４に沿った断面図である。
【図１５】調節リングの対向する面から真っ直ぐに延びた複数の歯と係合するバネ式リリースボタンを備える、本発明に係る接続調節装置のもう一つの別の実施形態における、図の趣旨のために分解された部品の拡大図である。
【図１６】組み立てられた状態の、図１５の接続および調節装置の断面図である。
【図１７】図１６の断面ライン１７−１７に沿った部分的断面図である。
【図１８】図１２〜図１４の接続調節装置のもう一つの別の実施形態の上方からの斜視図であり、ラチェット歯を省略して、角度セッティングの維持を、ピンと開口によってのみ実現した接続調節装置を示す図である。
【符号の説明】
【００３８】
１０        ブラジャー
１２        調節可能なアンダーワイヤー組み立て品
１４、１６  アンダーワイヤー
２２        調節装置（接続調節装置）
【図１】
2007524770.tif 000003
【図２】
2007524770.tif 000004
【図３】
2007524770.tif 000005
【図４】
2007524770.tif 000006
【図５】
2007524770.tif 000007
【図６】
2007524770.tif 000008
【図７】
2007524770.tif 000009
【図８】
2007524770.tif 000010
【図９】
2007524770.tif 000011
【図１０】
2007524770.tif 000012
【図１１】
2007524770.tif 000013
【図１２】
2007524770.tif 000014
【図１３】
2007524770.tif 000015
【図１４】
2007524770.tif 000016
【図１５】
2007524770.tif 000017
【図１６】
2007524770.tif 000018
【図１７】
2007524770.tif 000019
【図１８】
2007524770.tif 000020
【手続補正書】
【提出日】平成18年2月23日(2006.2.23)
【手続補正１】
【補正対象書類名】特許請求の範囲
【補正対象項目名】全文
【補正方法】変更
【補正の内容】
【特許請求の範囲】
【請求項１】
ブラジャーカップにおける調節可能なアンダーワイヤー組み立て品であって、
第１のブラジャーカップの少なくとも一部分に沿って延び、全体的にＵ字型に形成された筐体に挿入されるような寸法に構成された、全体的にＵ字型の第１のアーチ形状のアンダーワイヤー部材と、
前記第１のブラジャーカップに近接した第２のブラジャーカップの少なくとも一部分に沿って延び、全体的にＵ字型に形成された筐体に挿入されるような寸法に構成された、全体的にＵ字型の第２のアーチ形状のアンダーワイヤー部材と、
前記第１のアーチ形状のアンダーワイヤー部材と前記第２のアーチ形状のアンダーワイヤー部材とを接続する接続装置とを有し、
前記接続装置は、前記第１及び第２のアーチ形状の部材間の相対的な角度方向を選択的に変更し、維持するための手段を備え、衣類によって要求される前記ブラジャーカップの調節を手助けすることを特徴とする調節可能なアンダーワイヤーの組み立て品。
【請求項２】
前記接続装置は、
前記第１のアーチ形状のアンダーワイヤー部材に取り付けられた第１の細長い部材と、前記第２のアーチ形状のアンダーワイヤー部材に取り付けられた第２の細長い部材と、前記第１及び第２の細長い部材との角度関係を許容するように前記第１及び第２の細長い部材とを互いに相対的に接続する調節装置とを有し、
前記調節装置は、選択された前記第１及び第２の細長い部材と全体的にＵ字型の前記第１及び第２のアーチ形状のアンダーワイヤー部材との相対的な角度位置を維持するように機能することを特徴とする請求項１に記載の調節可能なアンダーワイヤー組み立て品。
【請求項３】
前記第１の細長い部材は、全体的にＵ字型の前記第１のアーチ形状の部材に取り付けられ、前記第２の細長い部材は、全体的にＵ字型の前記第２のアーチ形状の部材に取り付けられていることを特徴とする請求項２に記載の調節可能なアンダーワイヤーの組み立て品。
【請求項４】
前記調節装置は、半径方向内向きに延びる第１の複数の歯を有する第１の全体的に円状の部材と、前記第１の全体的に円状の部材内に少なくとも部分的に位置する第２の全体的に円状の部材と備え、前記第２の全体的に円状の部材は、前記第１の円状部材の複数の歯と係合する半径方向外向きの複数の歯を有し、前記第１及び第２のアンダーワイヤー部材間の相対的な角度方向を保持することを特徴とする請求項３に記載の調節可能なアンダーワイヤー組み立て品。
【請求項５】
前記第１の全体的に円状の部材は、外側リング状部材であり、前記第２の全体的に円状の部材は、前記第１のリング状部材に位置する内側リンク状部材であり、前記第１及び第２のリング状部材は、互いに回転可能であることを特徴とする請求項４に記載の調節可能なアンダーワイヤー組み立て品。
【請求項６】
前記外側及び内側リング状部材は、少なくとも一方の前記リング状部材に回転力を与えることで、相互に相対的に回転可能であり、回転の間において個々の歯が徐々に係合し、そして互いに外れることを特徴とする請求項５に記載の調節可能なアンダーワイヤー組み立て品。
【請求項７】
前記第１の外側リング状部材は、選択された内向きに延びる歯の間であって、かつ前記選択された歯に隣接した予め選択された円周の位置に、前記外側リング状部材の曲げ及び他方に対して前記リング状部材のうちの１つの相対回転を許容する全体的に放射状に延びる逃げ溝を有することを特徴とする請求項６に記載の調節可能なアンダーワイヤー組み立て品。
【請求項８】
前記内向きの延びる歯は、前記外側リング状部材の内周全体に形成され、前記外向きに延びる歯は、前記内側リング状部材の外周全体に形成されていることを特徴とする請求項７に記載の調節可能なアンダーワイヤー組み立て品。
【請求項９】
前記内向きに延びる歯は、前記外側リング状部材の内周の一部に形成されていることを特徴とする請求項７に記載の調節可能なアンダーワイヤー組み立て品。
【請求項１０】
前記外向きに延びる歯は、前記内側リング状部材の対応する部分に形成されていることを特徴とする請求項９に記載の調節可能なアンダーワイヤー組み立て品。
【請求項１１】
前記内向きに延びる歯は、前記外側リング状部材の内周部分の少なくとも２つの位置に形成されていることを特徴とする請求項１０に記載の調節可能なアンダーワイヤー組み立て品。
【請求項１２】
前記内向きに延びる歯は、前記外側リング状部材の内周部分における均等に間隔が空けられた３つの異なる位置に形成されていることを特徴とする請求項１０に記載の調節可能なアンダーワイヤー組み立て品。
【請求項１３】
前記内側及び外側リング状部材全体の中心に横に延び、かつその一端に手動で操作可能なプッシュボタンと他端にロック装置とを有するピンをさらに備え、
前記ロック装置は、前記外側リング状部材に対し予め選択された角度方向で前記内側リング状部材をロックするために、前記内側リング状部材の外向きに延びる所定の歯と係合するように適用され、前記ロックピンは、ロックされた位置に偏ったバネであり、前記プッシュボタンの手動操作によって、前記内側及び外側リング状部材の相対的な回転を許容するために係合位置から歯が外れる第２の位置に移動可能であることを特徴とする請求項１１に記載の調節可能なアンダーワイヤー組み立て品。
【請求項１４】
前記内側及び外側リング状部材の間の所定の相対的な角度方向を維持するための手段をさらに含むことを特徴とする請求項８に記載の調節可能なアンダーワイヤー組み立て品。
【請求項１５】
前記内側及び外側リング状部材の間の所定の相対的な角度方向を維持するための前記手段は、前記リング状部材の１つに固定して取り付けられ、前記外側及び内側リング状部材間の相対的な角度提示を維持するために選択された位置で前記外側リング状部材との係合を解放可能に位置する、少なくとも１つの細長いロック部材を含むことを特徴とする請求項１４に記載の調節可能なアンダーワイヤー組み立て品。
【請求項１６】
前記少なくとも１つの細長いロック部材は、前記内側リング状部材に取り付けられ、前記外側リング状部材の複数のくぼみの１つと解放可能に係合するように適用されることを特徴とする請求項１５に記載の調節可能なアンダーワイヤー組み立て品。
【請求項１７】
少なくとも２つの前記細長いロック部材が、前記内側リング状部材に取り付けられ、前記外側リング状部材の複数のくぼみの１つと解放可能に係合するように適用されることを特徴とする請求項１６に記載の調節可能なアンダーワイヤー組み立て品。
【請求項１８】
前記接続装置は、共通軸について相対的な回転のために接続された少なくとも２つの全体的に円状に形成された部材を含んでおり、前記全体的に円状に形成された部材の第１は、１つの円筒面から延びる複数の歯を有し、前記全体的に円状に形成された部材の第２は、前記第１の部材の複数の歯と向かい合って対となり、対応する面と向かい合った円筒面から延びる複数の歯を有しており、さらに前記接続装置は、前記部材の相対的な回転と前記アンダーワイヤーの対応する調節を手助けするために、前記向き合っている歯を解放可能に分離するために設けられた手段を有することを特徴とする請求項３に記載の調節可能なアンダーワイヤー組み立て品。
【請求項１９】
前記アンダーワイヤーの調節を許容する前記手段は、前記円筒の対をなすくぼみの面を分離して、互いの相対的な係合から対の歯を解放し、他に対して前記全体的に円状に形成された部材の１つの回転を許容する手段を含むことを特徴とする請求項１８に記載の調節可能なアンダーワイヤー組み立て品。
【請求項２０】
前記第１及び第２の円状に形成された部材間の相対的な角度方向の維持を支援するためにロック手段が設けられ、前記ロック手段は、全体的に円状の一方の部材から他方の部材に向かって延びる少なくとも１つの細長いロック部材と、全体的に円状の部材の前記他方に位置する対応する複数の開口とを有し、前記複数の開口は、前記第１及び第２の全体的に円状の部材と前記アーチ形状の部材との間の相対的な角度位置関係を維持するために支援する前記少なくとも１つの前記細長いロック部材の収容のために配置されることを特徴とする請求項４に記載の調節可能なアンダーワイヤー組み立て品。
【請求項２１】
全体的に円状に形成された他方の前記部材の複数の前記開口部の少なくとも２つに対して収容及び取り外し可能な少なくとも２つの前記細長いロック部材が設けられていることを特徴とする請求項２０に記載の調節可能なアンダーワイヤー組み立て品。
【請求項２２】
前記接続及び調節装置は、第１の全体的に円状の部材と前記第１の全体的に円状の部材に隣接して位置する第２の全体的に円状の部材とを有し、これらの前記全体的に円状の部材は、共通軸について回転可能であり、かつ前記２つのアーチ形状の部材間の所定の相対的な角度方向を維持する手段を有することを特徴とする請求項３に記載の調節可能なアンダーワイヤー組み立て品。
【請求項２３】
前記２つの全体的に円状の部材間の所定の相対的な角度方向を維持する手段は、一方の前記全体的に円状の部材から延びる少なくとも１つの細長いロック部材と、他方の前記全体的に円状の部材の対応する複数の開口部とを有し、
前記細長いロック部材は、前記アーチ形状の部材間の所定の相対的な角度方向を保持するために、前記開口の少なくとも１つの中に取り外し可能に挿入されるように適用されることを特徴とする請求項２２に記載の調節可能なアンダーワイヤー組み立て品。
【請求項２４】
２つの前記細長いロック部材の少なくとも１つが、前記全体的に円状の一方の前記部材に設けられるとともに、前記細長いロック部材は、少なくとも２つの前記対応する開口部と他方の前記ロック部材から、選択的に収容及び取り外し可能に位置していることを特徴とする請求項２３に記載の調節可能なアンダーワイヤー組み立て品。
【請求項２５】
前記全体的に円状の部材を分離し、前記部材の他方における前記対応して配列された開口部から前記細長い部材を取り外すための手段をさらに有することを特徴とする請求項２４に記載の調節可能なアンダーワイヤー組み立て品。
【請求項２６】
前記各細長いロック部材は、細長いピンよりなることを特徴とする請求項２５に記載の調節可能なアンダーワイヤー組み立て品。
【請求項２７】
ブラジャーカップのための調節可能なアンダーワイヤー組み立て品であって、
第１のブラジャーカップの少なくとも一部分に沿って延び、全体的にＵ字型に形成された筐体に挿入されるような寸法に構成された、全体的にＵ字型の第１のアーチ形状のアンダーワイヤー部材と、
前記第１のブラジャーカップに近接した第２のブラジャーカップの少なくとも一部分に沿って延び、全体的にＵ字型に形成された筐体に挿入されるような寸法に構成された、全体的にＵ字型の第２のアーチ形状のアンダーワイヤー部材と、
前記第１の全体的にアーチ形状の部材を前記第２の全体的にアーチ形状の部材に接続する装置とを有し、
前記接続する装置は、互いの相対的な回転のために組み立てられた第１及び第２の部材を含み、該部材の一方が、他方の部材の対応する反対側の面の方に向かって延びる複数の歯を有する面を含み、前記他方の部材の対応する面は、前記第１の複数の歯の方に向かって延びる複数の歯を有し、前記第１及び第２の部材間の所定の相対的な角度方向を選択的に維持するために、互いの係合が取り外し可能に構成されていることを特徴とする調節可能なアンダーワイヤーの組み立て品。
【請求項２８】
前記第１及び第２の部材間の所定の相対的な角度方向の維持を支援する手段を更に有することを特徴とする請求項２７に記載の調節可能なアンダーワイヤー組み立て品。
【請求項２９】
前記第１及び第２の部材間の所定の相対的な角度方向の維持を支援する手段は、前記部材の一方に複数の開口部を含み、他方の前記部材の第２から延び、前記開口部の１つに取り外し可能に入る少なくとも１つの細長いピンを含むことを特徴とする請求項２８に記載の調節可能なアンダーワイヤー組み立て品。
【請求項３０】
少なくとも２つの前記細長いピンが、前記他方の部材に設けられていることを特徴とする請求項２９に記載の調節可能なアンダーワイヤー組み立て品。
【請求項３１】
ブラジャーカップのための調節可能なアンダーワイヤー組み立て品であって、
第１のブラジャーカップの少なくとも一部分に沿って延び、全体的にＵ字型に形成された筐体に挿入されるような寸法に構成された、全体的にＵ字型の第１のアーチ形状のアンダーワイヤー部材と、
前記第１のブラジャーカップに近接した第２のブラジャーカップの少なくとも一部分に沿って延び、全体的にＵ字型に形成された筐体に挿入されるような寸法に構成された、全体的にＵ字型の第２のアーチ形状のアンダーワイヤー部材と、
前記全体的にアーチ形状の第１の部材を前記全体的にアーチ形状の第２の部材に接続する装置とを有し、
前記接続する装置は、互いに共通軸について相対的に回転可能な第１及び第２の接続部材と、選択的に回転可能であって、他方に対する選択的な変更に伴って前記全体的に円状の部材の１つを保持し、前記全体的にアーチ形状の第１及び第２の部材間の相対的な角度方向を維持して、装着者によって選択されたブラジャーカップの調節を手助けする、前記第１及び第２の接続部材の各々に付随した手段とを有することを特徴とする調節可能なブラジャーカップ組み立て品。
【請求項３２】
ブラジャーのための１対のＵ字型に形成されたアーチ形状のアンダーワイヤー部材を接続し、前記１対のアーチ形状の部材の相対的な回転を手助けし、ブラジャーの装着者が選択する所定の位置についての相対的な角度方向の選択的な調節を許容する調節装置であって、
第１の全体的に円状の部材と、
前記第１の全体的に円状の部材に組み立てられる第２の全体的に円状の部材とを有し、これら第１及び第２の全体的に円状の部材は、共通軸について互いに相対的な回転可能に適用されるとともに、
さらに、予め決められた回転において前記第１及び第２の部材の相対的な角度位置を選択的に保持するために、前記第２の部材に設けられた複数の歯に対応し一致する方向に面する全体的に尖った複数の歯状であって、前記第１の部材に関連した手段を有することを特徴とする調節装置。
【請求項３３】
前記第２の部材に対する前記第１の部材の所定の相対的な角度関係の維持を支援する手段をさらに備えることを特徴とする請求項３２に記載の調節可能なアンダーワイヤー組み立て品。
【請求項３４】
前記部材の係合を解除し、他方に対する前記部材の少なくとも１つの相対回転を手助けする手段をさらに有することを特徴とする請求項３３に記載の調節可能なアンダーワイヤー組み立て品。
【請求項３５】
前記接続する装置は、共通軸について相対回転のために適用される外側リング状部材及び内側リング状部材と、前記全体的に円状の部材の相対的な角度位置を保持するための手段とを有し、
前記接続する装置は、前記リング状部材の一方に複数の開口部を含み、前記リング状部材の他方に取り付けられる少なくとも２つの細長いピンを含み、選択された開口部への挿入を取り外し可能で、かつ前記全体的に円状の部材の相対的な回転位置を保持するように適用される位置することを特徴とする請求項１に記載の調節可能なアンダーワイヤー組み立て品。
【請求項３６】
胸部支持体を含む衣類のための調節装置であって、
第１の胸部支持体の第１アンダーワイヤーに接続するように適用される第１の部材と、第２の胸部支持体の第２アンダーワイヤーに接続するように適用される第２の部材とを有し、前記第１及び第２のアンダーワイヤーが、相対的な角度位置の選択的な変更をできるように回転可能に接続されるとともに、
前記第１及び第２部材を予め選択された相対的な角度位置に維持し、互に対応する予め選択された角度位置で前記第１及び第２アンダーワイヤーを維持する手段を有することを特徴とする調節装置。
【国際調査報告】
2007524770.tif 000021